(57)【要約】【課題】  本発明は、天然羽毛を用いて構成されるシャトルコックにおいて、長期間にわたって羽根の乾燥を防止して、耐久性を維持することのできるシャトルコックを提供する。また、前記シャトルコックの製造方法を提供する。【解決手段】  鳥の羽根を用いて構成されるシャトルコック１０において、前記羽根の表面が、アミノ酸、アミノ酸誘導体、及びポリアミノ酸、又はこれらの塩の中から選択される少なくとも１種の化合物によって処理されているシャトルコック。鳥の羽根を用いて構成されるシャトルコック１０の羽根の表面に、アミノ酸、アミノ酸誘導体、及びポリアミノ酸、又はこれらの塩の中から選択される少なくとも１種の化合物を水性媒体中に含む処理液を塗布して、表面処理を施すシャトルコックの製造方法。【選択図】図１ 
2005334084.tif 000002
【特許請求の範囲】
【請求項１】
鳥の羽根を用いて構成されるシャトルコックにおいて、前記羽根の表面が、アミノ酸、アミノ酸誘導体、及びポリアミノ酸、又はこれらの塩の中から選択される少なくとも１種の化合物によって処理されているシャトルコック。
【請求項２】
鳥の羽根を用いて構成されるシャトルコックの羽根の表面に、アミノ酸、アミノ酸誘導体、及びポリアミノ酸、又はこれらの塩の中から選択される少なくとも１種の化合物を水性媒体中に含む処理液を塗布して、表面処理を施すシャトルコックの製造方法。
【発明の詳細な説明】
【技術分野】
【０００１】
本発明は、バドミントン競技に用いられるシャトルコックに関する。より詳しくは、天然羽毛を用いて構成されるシャトルコックにおいて、羽根の耐久性を向上させたシャトルコックに関する。また、本発明は、前記シャトルコックの製造方法に関する。
【背景技術】
【０００２】
シャトルコックは、図２に示すように、打撃用頭部２１と、これに植設されたスカート部２６とから構成される。打撃用頭部２１は、天然コルクやＰＶＣ、ポリウレタン、ポリオレフィン等の形成品からなり、通常合成皮革で覆われている。スカート部２６は、水鳥や陸鳥の複数の羽根２４をその羽根部２２がスカート状を形成するように、羽根軸２３を打撃用頭部２１に植設して形成される。さらに羽根２４は、係糸２５で相互に連結されている。
【０００３】
前記した天然の水鳥や陸鳥の羽根を用いる代わりに、ナイロン等の合成樹脂を、天然の羽根の空気力学特性に近似させてスカート状に形成したスカート部を、打撃用頭部に植設したシャトルコックも知られている。
【０００４】
ここで、シャトルコックには、飛行の安定性、特に飛行距離や飛行軌跡の一定性といった性能を有することが要求されるが、この点において、天然の羽根を用いて構成されるシャトルコックが最良であるため、公式試合を含め、広く使用されている。
【０００５】
しかし、天然の羽根を用いたシャトルコックは、非常に優れた飛行特性を有するものの、耐久性に劣るという欠点を有している。天然の羽根は、湿度や気温の影響を受けやすく、乾燥すると破損しやすくなる。特に、湿度が低く気温の低い冬場になると、羽根の水分が奪われて脆くなり、羽根部が破損したり、羽根軸が折れやすくなる。
【０００６】
また、天然の羽毛には、打撃用頭部に植設する前に、前処理として、付着した汚れを除去するための漂白処理が施される。このような漂白処理によって、羽根は、前述のような湿度や気温の影響をさらに受けやすくなり、破損しやすくなる。
【０００７】
特開２００３−１９９８５７号公報には、羽根の乾燥を防止して耐久性を維持することを目的として、羽根の表面に、油脂あるいは、界面活性剤のコーティング処理により形成される保湿被膜が設けられたシャトルコックが開示されている。
【０００８】
【特許文献１】特開２００３−１９９８５７号公報
【発明の開示】
【発明が解決しようとする課題】
【０００９】
本発明の目的は、長期間にわたって羽根の乾燥を防止して、耐久性を維持することのできるシャトルコックを提供することにある。また、本発明の目的は、前記シャトルコックの製造方法を提供することにある。
【課題を解決するための手段】
【００１０】
本発明者らは、鋭意検討の結果、羽根の表面を、アミノ酸、アミノ酸誘導体、及びポリアミノ酸、又はこれらの塩の中から選択される少なくとも１種の化合物によって処理することにより、羽根に吸湿性及び保湿性を付与することができ、シャトルコックの耐久性が向上することを見出し、本発明に到達した。
【００１１】
本発明は、鳥の羽根を用いて構成されるシャトルコックにおいて、前記羽根の表面が、アミノ酸、アミノ酸誘導体、及びポリアミノ酸、又はこれらの塩の中から選択される少なくとも１種の化合物によって処理されているシャトルコックである。
【００１２】
本発明は、鳥の羽根を用いて構成されるシャトルコックの羽根の表面に、アミノ酸、アミノ酸誘導体、及びポリアミノ酸、又はこれらの塩の中から選択される少なくとも１種の化合物を水性媒体中に含む処理液を塗布して、表面処理を施すシャトルコックの製造方法である。
【発明の効果】
【００１３】
本発明によれば、天然の羽根の表面に、アミノ酸、アミノ酸誘導体、及びポリアミノ酸、又はこれらの塩の中から選択される少なくとも１種の化合物を処理すると、前記化合物はいずれも天然の羽根との親和性が非常に高いので、羽根に吸湿性及び保湿性が付与され、湿度や気温の変化、特に乾燥に強く、耐久性に優れたシャトルコックを得ることができる。それと同時に、処理された上記化合物の作用によって、羽根部の風合い及び手触りが改善される。
【発明を実施するための最良の形態】
【００１４】
本発明の実施形態例を、図１を用いて説明する。
図１は、本発明のシャトルコックの一例の概略構成図である。
【００１５】
本発明のシャトルコック１０は、打撃用頭部１１にスカート部１６が植設されている。
【００１６】
スカート部１６を構成する羽根１４は、天然の水鳥や陸鳥の羽根である。
【００１７】
羽根１４は、その羽根部１２がスカート状を形成するように、羽根軸１３を打撃用頭部１１に植設して形成される。さらに羽根１４は、羽根軸１３において係糸１５で相互に連結して、安定化されている。
【００１８】
シャトルコック１０を構成する各々の羽根１４の表面は、アミノ酸、アミノ酸誘導体、及びポリアミノ酸、又はこれらの塩の中から選択される少なくとも１種の化合物によって処理されている。羽根部１２及び羽根軸１３から構成される羽根１４の表面は、表面全体が前記化合物のコーティング処理によって形成される保湿被膜によって覆われていてもよい。また、表面の一部に、前記化合物の保湿被膜が形成されていてもよい。
【００１９】
次に、表面処理に用いられる、アミノ酸、アミノ酸誘導体、及びポリアミノ酸、又はこれらの塩について説明する。
【００２０】
アミノ酸としては、たんぱく質を構成するグリシン、アラニン、バリン、ロイシン、イソロイシン、セリン、トレオニン、アスパラギン酸、グルタミン酸、リジン、ヒドロキシリジン、アルギニン、フェニルアラニン、チロシン、ヒスチジン、トリプトファン、プロリン、オキシプロリン、オルチニン等のα−アミノ酸の他、非たんぱく質性アミノ酸であるβ−アラニン、β−アミノ酪酸等のβ−アミノ酸、γ−アミノ酪酸、カルチニン等のγ−アミノ酸、δ−アミニレブリン酸等のδ−アミノ酸等を用いることができる。
【００２１】
アミノ酸誘導体としては、上記アミノ酸のアミノ基の一部が置換された化合物を用いることができる。
アミノ基の置換基としては、アミノ酸の水溶性を損なわなければ特に限定されないが、通常、アルキル基、アルコキシアルキル基、ヒドロキシアルキル基、シアノアルキル基、アシル基、アリール基、ポリアルキレンオキシド基、アルキルエーテルポリアルキレンオキシド基等が挙げられる。
具体的には、Ｎ，Ｎ−ジメチルグリシン、Ｎ−メチルグリシン、Ｎ，Ｎ−ビスヒドロキシエチルグリシン、Ｎ−メチルアラニン等が挙げられる。
【００２２】
その他のアミノ酸誘導体として、一般式ＲＣＨ（ＮＨ２）ＣＯ−、ＲＣＨ（ＮＨ２）ＣＯ２１−、ＲＣＨ（ＮＨ２）ＣＯＮＨ２、ＲＣＨ（ＮＨ２）ＣＨ２ＯＨ、ＲＣＨ（ＮＨ２）ＣＨＯ、ＲＣＨ（ＣＯ２Ｈ）ＮＨ−で表される化合物を用いることもできる。
【００２３】
本発明に使用されるポリアミノ酸は、上記アミノ酸、及び／又はアミノ酸誘導体が脱水縮合したポリペプチドからなる。α−アミノ酸は、光学異性体であっても、ラセミ体であってもよい。また、誘導体などの変性体や、可溶性架橋体を用いることもできる。
また、天然のたんぱく質を分解することにより得られる、ポリアミノ酸及びポリペプチドを用いることもできる。例えば、シルクプロテインを加水分解したものが挙げられる。
ポリアミノ酸では、低分子量のものほど、高い吸湿性及び保湿性を有する。一方、高分子量のものほど、羽根の風合いが良好となる。
【００２４】
上記アミノ酸、アミノ酸誘導体、及びポリアミノ酸の塩としては、ナトリウム、カリウム、カルシウム、マグネシウム等の金属塩が挙げられる。
【００２５】
上記アミノ酸等の化合物は、生体適合性が非常に高い。従って、天然の鳥の羽根との親和性が非常に良く、羽根の表面に処理することによって、上記アミノ酸等の化合物の有する吸湿性及び保湿性を羽根に付与することが可能となる。また、それと同時に、上記化合物の作用により、羽根部の風合い及び手触りが改善されるという効果もある。
【００２６】
次に、前記シャトルコックの製造方法について説明する。
【００２７】
上述のアミノ酸、アミノ酸誘導体、及びポリアミノ酸、又はこれらの塩の中から選択される少なくとも１種の化合物が、水溶性である場合には水に溶解させ、水に溶けにくい場合には、適宜界面活性剤を用いて、水中に分散させて、処理液とする。
前記化合物を、０．５〜２０重量％含む処理液を使用することが好ましい。０．５重量％以下の濃度では、羽根に処理液を塗布した際に、羽根の表面に付着する前記アミノ酸等の化合物の量が少ないために、羽根に付与される吸湿性及び保湿性が小さく、耐久性向上の効果が低いからである。また、２０重量％以上の濃度では、羽根に塗布した際に、べとつき感があり、商品価値が低下するからである。
【００２８】
前記アミノ酸等の化合物を含む処理液を羽根の表面に塗布する方法としては、処理液に浸漬する方法、処理液を噴霧する方法等があるが、アミノ酸等の化合物を羽根表面に所定量付着させるためには、処理液を吸水させた布地、スポンジ、刷毛等で、羽根の表裏に塗り付けることが好ましい。
【００２９】
上述の方法で、前記アミノ酸等の化合物を含む処理液を羽根全体に塗布することにより、羽根部及び羽根軸から構成される羽根全体の表面が、前記化合物で処理されたシャトルコックを得ることができる。羽根部及び羽根軸は、アミノ酸等の化合物によって、吸湿性及び保湿性を付与される。その結果、低湿度の雰囲気下においても、羽根部の破損や、羽根軸の折れが減少し、シャトルコックの耐久性が向上する。
【実施例】
【００３０】
[実施例１]
グリシンの２重量％水溶液を調製して、処理液を得た。次に、前記処理液を吸収させたスポンジを用いて、シャトルコックの羽根部及び羽根軸の表面に塗布した。その後、自然乾燥して、グリシンで羽根の表面を処理したシャトルコックを得た。
【００３１】
[実施例２]
シルクフィブロンの加水分解物と水溶性ウレタンとからなるＳＣ−１０００（大原パラヂウム化学株式会社製）５重量部に、水９５重量部を加えて、処理液を調整した。次に、前記処理液を吸収させたスポンジを用いて、シャトルコックの羽根部及び羽根軸の表面に塗布した。その後、自然乾燥して、ＳＣ−１０００で羽根の表面を処理したシャトルコックを得た。
【００３２】
[実施例３]
主成分をアミノ酸変性物とするラノゲンＴＳ−５２Ｋ（高松油脂株式会社製）５重量部に、水９５重量部を加えて、処理液を調整した。次に、前記処理液を吸収させたスポンジを用いて、シャトルコックの羽根部及び羽根軸の表面に塗布した。その後、自然乾燥して、ラノゲンＴＳ−５２Ｋで羽根の表面を処理したシャトルコックを得た。
【００３３】
(評価)
羽根の表面を処理していないシャトルコックを、比較例として、実施例１〜３及び比較例のシャトルコックについて、以下の評価を行った。
【００３４】
（１）表面付着量：重量増加率（重量％）
得られた各シャトルコックの羽根の表面に付着したアミノ酸等の化合物の量をみるために、表面処理の前後におけるシャトルコックの重量を測定し、重量増加率を下記の計算式により算出した。
重量増加率（重量％）＝{（Ｗ１−Ｗ０）／（Ｗ０）}×１００
Ｗ０：表面処理前のシャトルコックの重量
Ｗ１：表面処理後のシャトルコックの重量
結果を表１に示した。
【００３５】
また、各シャトルコックの羽根を分離し、シャトルコックごとの羽根のみの重量を測定した。処理の前後における羽根の重量を測定し、重量増加率を下記の計算式により算出した。
重量増加率（重量％）＝{（ｗ１−ｗ０）／（ｗ０）}×１００
ｗ０：表面処理前の羽根の重量
ｗ１：表面処理後の羽根の重量
結果を表１に示した。
【００３６】
（２）吸湿性及び保湿性：水分含有率（重量％）
得られた各シャトルコックの羽根を分離し、シャトルコックごとの羽根について水分含有率を測定した。羽根を、温度２０℃及び湿度５０％の雰囲気下に４時間放置し、放置後の重量を測定した。下記の計算式により、水分含有率を算出した。
水分含有率（重量％）＝{（ｗａ１−ｗａ０）／（ｗａ０）}×１００
ｗａ０：絶乾重量
ｗａ１：放置後の重量
絶乾重量とは、シャトルコックごとの羽根を、１２０℃で１時間乾燥させたときの重量をいう。
水分含有率の測定は、サンプルごとに５回行い、その平均値を表１に示した。
【００３７】
温度２０℃及び湿度６０％の雰囲気下に４時間放置した羽根についても、上記と同様にして、水分含有率を求め、結果を表１に示した。
【００３８】
（３）耐久試験
得られた各シャトルコックを使用して、冬場の１月に、上級バドミントンプレーヤー２名が試合形式で打ち合いを行った。羽根部と羽根軸の破損を観察し、何セット使用可能であるかを評価し、問題なく使用できたセット数を表１に示した。
【００３９】
その結果、実施例１で得られたシャトルコックは、１０セット問題なく使用することができた。しかも、使用不可と評価した際には、羽根部のみが破損しており、羽根軸の破損は観察されなかった。
【００４０】
実施例２で得られたシャトルコックは、１１セット問題なく使用することができた。また、使用不可と評価した際には、羽根部のみが破損しており、羽根軸の破損は観察されなかった。
【００４１】
実施例３で得られたシャトルコックは、１２セット問題なく使用することができた。また、使用不可と評価した際には、羽根部のみが破損しており、羽根軸の破損は観察されなかった。
【００４２】
一方、比較例で得られたシャトルコックは、３セットで破損して使用できなくなった。また、破損は、羽根部だけでなく、羽根軸でも観察された。
【００４３】
（４）官能評価
得られた各シャトルコックの羽根の風合いについて、比較例のシャトルコックの羽根と比較して、手触りで評価し、結果を表１に示した。
【００４４】
【表１】
2005334084.tif 000003
【００４５】
表１に示した、重量増加率の測定結果から、シャトルコックの羽根の表面にアミノ酸等の化合物が付着していることが示された。
また、水分含有率の測定結果から、実施例１〜３で得られたシャトルコックの羽根は、比較例のシャトルコックの羽根に比べ、吸湿性及び保湿性が高く、特に低湿度において、その効果が顕著であることが示された。
また、耐久性試験の結果から、実施例１〜３で得られたシャトルコックは、比較例のシャトルコックに比べ、明らかに耐久性に優れることが示された。
さらに、官能評価の結果から、実施例１〜３で得られたシャトルコックの羽根は、比較例の羽根に比べて、手触りが良好であることが示された。
【図面の簡単な説明】
【００４６】
【図１】本発明のシャトルコックの一例の概略構成図である。
【図２】一般的なシャトルコックの一例の概略構成図である。
【符号の説明】
【００４７】
１０：シャトルコック
１１：打撃用頭部
１２：羽根部
１３：羽根軸
１４：羽根
１５：係糸
１６：スカート部
２１：打撃用頭部
２２：羽根部
２３：羽根軸
２４：羽根
２５：係糸
２６：スカート部
【図１】
2005334084.tif 000004
【図２】
2005334084.tif 000005